(57)【要約】  本開示は、電子デバイスに適用可能なタイマ制御方法に関する。この方法は、媒体アクセス制御層が物理層によって送信されたビーム障害インスタンス指示を受信したことに応答して、ビーム障害指示カウンタのカウント値がプリセット値以上であるかどうかを判定することと、ビーム障害指示カウンタのカウント値がプリセット値以上であることに応答して、ランダムアクセスをトリガすることと、トリガされたランダムアクセスを開始するかどうかを判定することと、トリガされたランダムアクセスを開始するという判定に応答して、トリガされたランダムアクセスを開始すると、ビーム障害回復タイマをリセットまたは再始動することと、を含む。本開示の実施形態によれば、ユーザ装置が無競合ランダムアクセスのリソースを長時間占有するというケースを回避することができる。【選択図】図１
2021531692.tif 000002
【特許請求の範囲】
【請求項１】
電子デバイスに適用可能なタイマ制御方法であって、
媒体アクセス制御層が、物理層によって送信されたビーム障害インスタンス指示を受信したことに応答して、ビーム障害指示カウンタのカウント値がプリセット値以上であるかどうかを判定することと、
前記ビーム障害指示カウンタの前記カウント値が前記プリセット値以上であることに応答して、ランダムアクセスをトリガすることと、
トリガされた前記ランダムアクセスを開始するかどうかを決定することと、
トリガされた前記ランダムアクセスが開始されるべきであるとの決定に応答して、トリガされたランダムアクセスを開始すると、ビーム障害回復タイマをリセットまたは再始動することと、を備えるタイマ制御方法。
【請求項２】
トリガされた前記ランダムアクセスが開始されるべきかどうかを決定することは、
ランダムアクセスが電子デバイスによって現在進行中であることに応答して、第１の構成情報に従って、トリガされた前記ランダムアクセスを開始するか、または現在進行中の前記ランダムアクセスを継続するかを決定することと、
ここで、前記決定の結果が、トリガされた前記ランダムアクセスを開始することを示すことに応答して、トリガされた前記ランダムアクセスを開始することを決定することと、を含む、請求項１に記載の方法。
【請求項３】
前記ランダムアクセスがトリガされた後、トリガされた前記ランダムアクセスが開始される前に、前記ビーム障害回復タイマのタイミングを現在のタイミング値に基づいて維持することをさらに含む、請求項１に記載の方法。
【請求項４】
前記ビーム障害回復タイマをリセットまたは再始動する前に、前記ビーム障害回復タイマをリセットまたは再始動するかどうかを、第２の構成情報に従って決定することと、
ここで、前記ビーム障害回復タイマがリセットまたは再始動されるべきであると決定することに応答して、前記ビーム障害回復タイマをリセットまたは再始動することと、をさらに含む、請求項１記載の方法。
【請求項５】
トリガされた前記ランダムアクセスが成功したことに応答して、前記ビーム障害指示カウンタの前記カウント値をゼロに設定することをさらに含む、請求項１記載の方法。
【請求項６】
前記ビーム障害回復タイマをリセットまたは再始動することは、
前記ビーム障害指示カウンタに対応するサービングセルを決定することと、
前記サービングセルの前記ビーム障害回復タイマをリセットまたは再始動することと、を含む、請求項１〜５のいずれかに記載の方法。
【請求項７】
前記サービングセルが、
一次セルと
一次二次セルと
前記一次セル及び前記一次二次セル以外のサービングセルと、のうちの少なくとも１つを含む、請求項６に記載の方法。
【請求項８】
電子デバイスに適用可能なタイマ制御装置であって、
媒体アクセス制御層が物理層によって送信されたビーム障害インスタンス指示を受信したことに応答して、ビーム障害指示カウンタのカウント値がプリセット値以上であるかどうかを決定するように構成されたカウント値決定モジュールと、
前記ビーム障害指示カウンタの前記カウント値が前記プリセット値以上であることに応答して、ランダムアクセスをトリガするように構成されたランダムアクセスモジュールと、
トリガされた前記ランダムアクセスが開始されるべきかどうかを決定するように構成された開始決定モジュールと、
トリガされた前記ランダムアクセスが開始されるべきであるとの決定に応答して、トリガされた前記ランダムアクセスを開始すると、ビーム障害回復タイマをリセットまたは再始動するように構成されたタイマ制御モジュールと、を備えるタイマ制御装置。
【請求項９】
前記開始決定モジュールは、ランダムアクセスが前記電子デバイスによって現在進行中であることに応答して、第１の構成情報に従って、トリガされた前記ランダムアクセスを開始するか、または現在進行中の前記ランダムアクセスを継続するかを決定し、ここで、決定の結果がトリガされた前記ランダムアクセスを開始することを示すことに応答して、トリガされた前記ランダムアクセスを開始することを決定するように構成される、請求項８に記載の装置。
【請求項１０】
前記タイマ制御モジュールは、前記ランダムアクセスがトリガされた後、トリガされた前記ランダムアクセスが開始される前に、前記ビーム障害回復タイマタイミングを現在のタイミング値に基づいて維持するようにさらに構成される、請求項８に記載の装置。
【請求項１１】
前記タイマ制御モジュールが前記ビーム障害回復タイマをリセットまたは再始動する前に、前記ビーム障害回復タイマをリセットするか再始動するかを第２の構成情報に従って決定し、
前記ビーム障害回復タイマをリセットまたは再始動することを決定することに応答して、ビーム障害回復タイマをリセットまたは再始動するように構成された制御決定モジュール、をさらに含む、請求項８に記載の装置。
【請求項１２】
トリガされた前記ランダムアクセスが成功したことに応答して、前記ビーム障害指示カウンタのカウント値をゼロに設定するように構成されたカウンタ制御モジュールをさらに含む、請求項８に記載の装置。
【請求項１３】
前記タイマ制御モジュールは、
前記ビーム障害指示カウンタに対応するサービングセルを決定するように構成されたセル決定サブモジュールと、
前記サービングセルのビーム障害回復タイマをリセットまたは再始動するように構成されたタイマ制御サブモジュールと、を含むことを特徴とする請求項８〜１２のいずれかに記載の装置。
【請求項１４】
前記サービングセルが、一次セル、一次二次セル、並びに一次セル及び一次二次セル以外のサービングセルのうちの少なくとも１つを含む、請求項１３に記載の装置。
【請求項１５】
プロセッサと、
前記プロセッサによって実行可能な命令を記憶するためのメモリと、を備え、
前記プロセッサは、請求項１〜７のいずれかに記載の方法を実行するように構成される、電子デバイス。
【請求項１６】
コンピュータプログラムを記憶するコンピュータ読み取り可能な媒体であって、前記コンピュータプログラムがプロセッサによって実行されるとき、請求項１から７のいずれかに記載の方法のステップが実施される、コンピュータ読み取り可能な媒体。
【発明の詳細な説明】
【技術分野】
【０００１】
本開示は通信技術に関し、特に、タイマ制御方法および装置、電子デバイス、ならびにコンピュータ可読記憶媒体に関する。
【背景技術】
【０００２】
新しい無線（ＮＲ）では、ユーザ装置（ＵＥ）がビーム信号を監視することがある。監視されたビーム信号が要件を満たさない場合、物理層は、ビーム障害の１つの記録として、媒体アクセス制御層にビーム障害インスタンス指示を送信することができる。媒体アクセス制御層が物理層によって送信されたビーム障害インスタンス指示を依然として受信している間に、ビーム障害指示カウンタ（ＢＦＩ＿ｃｏｕｎｔｅｒ）がプリセット値以上の値を示す場合、ＵＥはランダムアクセスをトリガすることができ、したがって開始されるランダムアクセスは、無競合ランダムアクセス（ＣＦＲＡ）または競合ベースランダムアクセス（ＣＢＲＡ）とすることができる。
【０００３】
関連技術では、ビーム障害回復タイマが提供され、ＵＥがランダムアクセスをトリガすると、タイマがリセットまたは再始動される。タイマが満了しない場合、ＵＥは好ましくは競合のないランダムアクセスを開始するために競合のないランダムアクセスのためのリソースを使用し、タイマが満了する一方で、ＵＥは、好ましくは競合のないランダムアクセスのためのリソースを使用して、ランダムアクセスに基づく競合を開始する。このようにして、ＵＥは１つのタイプのランダムアクセスを開始するために、１つのタイプのリソースを長時間占有しない。
【０００４】
関連して、ランダムアクセスがＵＥによって現在進行中である場合、ビーム障害指示カウンタがプリセット値以上の値を示し、媒体アクセス制御層が物理層によって送信されたビーム障害インスタンス指示を受信すると、ＵＥは、別のランダムアクセスをトリガすることができる。次いで、ＵＥは、進行中のランダムアクセスを継続するか、またはトリガされたランダムアクセスを開始するかを決定する。ほとんどの場合、ＵＥは、進行中のランダムアクセスを継続することができる。
【０００５】
進行中のランダムアクセスのためのビーム障害回復タイマはタイミングであり、トリガされたランダムアクセスをトリガするとリセットまたは再始動される。しかしながら、ＵＥが進行中のランダムアクセスを継続することを決定する場合、ビーム障害回復タイマはリセットされるべきではなく、タイミングを継続すべきであり、すなわち、現在のタイミング値に基づいてタイミングを継続すべきである。
【０００６】
関連技術によれば、ビーム障害回復タイマをリセットすべきでない場合であっても、トリガされたランダムアクセスによってビーム障害回復タイマのリセットが発生する可能性があることが分かる。この場合、このタイマは長時間にわたって期限切れにならず、ＵＥは長時間にわたって無競合ランダムアクセスのためのリソースを使用して、長時間にわたって無競合ランダムアクセスを開始し、これは無競合ランダムアクセスのためのリソースの過剰な占有を引き起こす。
【発明の概要】
【発明が解決しようとする課題】
【０００７】
そこで、本発明は、タイマ制御方法、タイマ制御装置、電子デバイス、及びコンピュータ読み取り可能な記憶媒体を提供する。
【課題を解決するための手段】
【０００８】
本開示の実施形態の第１の態様によれば、電子デバイスに適用可能なタイマ制御方法が提供され、該方法は以下を含む。
媒体アクセス制御層が、物理層によって送信されたビーム障害インスタンス指示を受信した場合、ビーム障害指示カウンタのカウント値がプリセット値以上であるかどうかを判定すること。
ビーム障害指示カウンタのカウント値がプリセット値以上である場合、ランダムアクセスをトリガすること。
トリガされたランダムアクセスが開始されるべきかどうか決定すること。
トリガされたランダムアクセスが開始されるべきであると判定された場合、トリガされたランダムアクセスを開始すると、ビーム障害回復タイマをリセットまたは再始動すること。
【０００９】
任意選択で、トリガされたランダムアクセスが開始されるべきかどうかを判定することは、
ランダムアクセスが電子デバイスによって現在進行中である場合、第１の構成情報に従って、トリガされたランダムアクセスを開始するか、または現在進行中のランダムアクセスを継続するかを決定することと、
決定結果がトリガされたランダムアクセスを開始することを示している場合、トリガされたランダムアクセスを開始することと、を含む。
【００１０】
任意選択で、この方法はさらに以下を含む。
ランダムアクセスがトリガされた後、トリガされたランダムアクセスが開始される前に、ビーム障害回復タイマのタイミングを現在のタイミング値に基づいて維持すること。
【００１１】
任意選択で、この方法はさらに以下を含む。
ビーム障害回復タイマをリセットまたは再始動する前に、ビーム障害回復タイマをリセットまたは再始動するかどうかを、第２の構成情報に従って決定すること。
判定結果が、ビーム障害回復タイマをリセットまたは再始動することである場合、ビーム障害回復タイマをリセットまたは再始動すること。
【００１２】
任意選択で、この方法はさらに以下を含む。
トリガされたランダムアクセスが成功した場合、ビーム障害指示カウンタのカウント値をゼロに設定すること。
【００１３】
任意選択で、ビーム障害回復タイマをリセットまたは再始動することには、以下が含まれる。
ビーム障害指示カウンタに対応するサービングセルを決定すること。
サービングセルのビーム障害回復タイマをリセットまたは再始動すること。
【００１４】
任意選択で、サービングセルは、以下のうちの少なくとも１つを含む。
一次セル、一次二次セル、並びに一次セル及び一次二次セル以外のサービングセル。
【００１５】
本発明の第２の側面によれば、電子デバイスに適用可能なタイマ制御装置が提供され、該装置は以下を含む。
媒体アクセス制御層が物理層によって送信されたビーム障害インスタンス指示を受信したときに、ビーム障害指示カウンタのカウント値がプリセット値以上であるかどうかを判定するように構成されたカウント値決定モジュール。
ビーム障害指示カウンタのカウント値がプリセット値以上である場合、ランダムアクセスをトリガするように構成されたランダムアクセスモジュール。
トリガされたランダムアクセスが開始されるべきかどうかを決定するように構成された開始決定モジュール。
トリガされたランダムアクセスが開始されるべきであると判定された場合、トリガされたランダムアクセスを開始すると、ビーム障害回復タイマをリセットまたは再始動するように構成されたタイマ制御モジュール。
【００１６】
任意選択で、開始決定モジュールは、電子デバイスによってランダムアクセスが現在進行中である場合、第１の構成情報に従って、トリガされたランダムアクセスを開始するか、または現在進行中のランダムアクセスを継続するかを決定するように構成される。
ここで、決定結果がトリガされたランダムアクセスを開始することを示す場合、開始決定モジュールは、トリガされたランダムアクセスを開始する。
【００１７】
任意選択で、タイマ制御モジュールはランダムアクセスがトリガされた後、トリガされたランダムアクセスが開始される前に、現在のタイミング値に基づいてビーム障害回復タイマタイミングを維持するようにさらに構成される。
【００１８】
任意選択で、装置はさらに以下を含む。
制御決定モジュールは、タイマ制御モジュールがビーム障害回復タイマをリセットまたは再始動する前に、ビーム障害回復タイマをリセットするか再始動するかを第２の構成情報に従って決定するように構成されている。
ビーム障害回復タイマをリセットまたは再始動すると判定された場合、ビーム障害回復タイマをリセットまたは再始動する。
【００１９】
任意選択で、装置はさらに以下を含む。
トリガされたランダムアクセスが成功したときに、ビーム障害指示カウンタのカウント値をゼロに設定するように構成されたカウンタ制御モジュール。
【００２０】
任意選択で、タイマ制御モジュールは以下を含む。
ビーム障害指示カウンタに対応するサービングセルを決定するように構成されたセル決定サブモジュール。
サービングセルのビーム障害回復タイマをリセットまたは再始動するように構成されたタイマ制御サブモジュール。
【００２１】
任意選択で、サービングセルは、以下のうちの少なくとも１つを含む。
一次セル、一次二次セル、並びに一次セル及び一次二次セル以外のサービングセル。
【００２２】
本開示の実施形態の第３の態様によれば、電子デバイスが提供され、以下を含む。
プロセッサと
プロセッサによって実行可能な命令を記憶するためのメモリ。
ここで、プロセッサは、上記実施形態のいずれかの方法を実行するように構成される。
【００２３】
本開示の実施形態の第４の態様によれば、コンピュータプログラムがプロセッサによって実行されるときに、上記実施形態のいずれかの方法におけるステップが実施される、コンピュータプログラムを記憶するコンピュータ可読媒体が提供される。
【発明の効果】
【００２４】
本開示の実施形態によれば、ビーム障害回復タイマは、トリガされたランダムアクセスを開始するときのみ、リセットまたは再始動され、すなわち、ランダムアクセスがトリガされるときにビーム障害回復タイマはリセットまたは再始動されない。
【００２５】
このように、ＵＥが進行中のランダムアクセスを継続することを選択した場合、ビーム障害回復タイマが満了しないときに、ビーム障害回復タイマがリセットされることを防止することができる。これにより、ＵＥが進行中のランダムアクセスを継続することを選択した場合、ランダムアクセスがトリガされると、ビーム障害回復タイマはタイミングを継続することができ、タイマが満了するか、またはトリガされたランダムアクセスが開始されるまでリセットまたは再始動されることが保証される。このようにして、ビーム障害回復タイマが満了することなく事前にリセットされ、ＵＥは、無競合ランダムアクセスのためのリソースを使用して、無競合ランダムアクセスを長時間にわたって開始することを防止することができ、したがって、無競合ランダムアクセスのリソースに対する過剰な占有を防止する。
【図面の簡単な説明】
【００２６】
本願の実施例における技術的解決策をより明確に説明するために、実施例の説明に用いた図面を以下に簡単に説明する。以下の説明における図面は、本出願のいくつかの例に過ぎず、他の図面もまた、図面を考慮して当業者から得られ得ることは明らかである。
【００２７】
【図１】本開示のいくつかの実施形態による、タイマ制御装置を示す概略ブロック図である。
【図２】本開示のいくつかの実施形態による、タイマを制御するための別の方法を示す概略フローチャートである。
【図３】本開示のいくつかの実施形態による、タイマを制御するためのさらに別の方法を示す概略フローチャートである。
【図４】本開示のいくつかの実施形態による、タイマを制御するためのさらに別の方法を示す概略フローチャートである。
【図５】本開示のいくつかの実施形態による、タイマを制御するためのさらに別の方法を示す概略フローチャートである。
【図６】本開示のいくつかの実施形態による、タイマ制御装置を示す概略ブロック図である。
【図７】本開示のいくつかの実施形態による、タイマを制御するための別の装置を示す概略ブロック図である。
【図８】本開示のいくつかの実施形態による、タイマを制御するためのさらに別の装置を示す概略ブロック図である。
【図９】本開示のいくつかの実施形態によるタイマ制御モジュールを示す概略ブロック図である。
【図１０】本開示のいくつかの実施形態によるランダムアクセス制御のための装置を示す概略ブロック図である。
【発明を実施するための形態】
【００２８】
本出願の実施例における技術的解決策は、本出願の実施例における図面を参照して、以下に明確かつ完全に記載される。記載された実施例は、本出願の実施例の一部に過ぎず、実施例の全てではないことは明らかである。本発明の範囲から逸脱することなく、本出願の実施例に基づいて当業者によって得られる他の全ての実施例は、本出願の範囲内である。
【００２９】
図１は、本開示のいくつかの実施形態による、タイマ制御装置を示す概略ブロック図である。なお、本実施形態に示すタイマ制御方法は、電子デバイスに適用してもよい。電子デバイスは、通信のためのユーザ機器（ＵＥ）であってもよい。ＵＥは、携帯電話、タブレット・コンピュータ、スマート・ウェアラブル・デバイス等であってもよく、この場合、ＵＥはＮＲを介して通信することができる。
【００３０】
図１に示すように、タイマ制御方法は、以下のステップを含む。
ステップＳ１において、媒体アクセス制御層が物理層によって送信されたビーム障害インスタンス指示を受信すると、ビーム障害指示カウンタのカウント値がプリセット値以上であるかどうかが決定される。
ステップＳ２において、ビーム障害指示カウンタのカウント値が予プリセット値以上であれば、ランダムアクセスがトリガされる。
ステップＳ３において、トリガされたランダムアクセスが開始されるべきかどうかが決定される。
ステップＳ４において、トリガされたランダムアクセスが開始されるべきであると判定された場合、トリガされたランダムアクセスが開始されると、ビーム障害回復タイマがリセットまたは再始動される。
【００３１】
一実施形態では、トリガされたランダムアクセスが開始されたときにのみビーム障害回復タイマがリセットまたは再始動され、すなわち、ランダムアクセスがトリガされたときビーム障害回復タイマはリセットまたは再始動されない。
【００３２】
したがって、ランダムアクセスがトリガされるとき、ランダムアクセスがＵＥによって現在進行中である場合、ＵＥが進行中のランダムアクセスを継続することを選択するとき、ビーム障害回復タイマが、満了前にリセットまたは再始動されることを回避することができる。これはＵＥが進行中のランダムアクセスを継続することを選択するとき、ビーム障害回復タイマはトリガされたランダムアクセスによってリセットまたは再始動しないことができるが、タイマが満了するか、またはトリガされたランダムアクセスを開始するまでタイミングを取り続けることができ、これはビーム障害回復タイマが事前にリセットされることによってＵＥが満了しないようにすることを回避し、ＵＥは無競合ランダムアクセスのリソースを選択して、無競合ランダムアクセスのリソースを長時間にわたって開始し、無競合ランダムアクセスのリソースの過剰な占有を引き起こすことを保証する。
【００３３】
図２は、本開示のいくつかの実施形態による、タイマを制御するための別の方法を示す概略フローチャートである。図２に示すように、トリガされたランダムアクセスを開始するかどうかを決定することは、以下を含む。
ステップＳ３１において、ランダムアクセスが電子デバイスによって現在進行中である場合、トリガされたランダムアクセスを開始するか、または現在進行中のランダムアクセスを継続するかが、第１の構成情報に従って決定される。
【００３４】
決定結果がトリガされたランダムアクセスを開始することを示す場合、トリガされたランダムアクセスが開始される。
【００３５】
一実施形態ではランダムアクセスがトリガされるが、ランダムアクセスが電子デバイスによって現在進行中である場合、ＵＥはトリガされたランダムアクセスを開始するか、または現在進行中のランダムアクセスを継続するかを第１の構成情報に従って決定することができる。トリガされたランダムアクセスを開始することが決定された場合、現在のランダムアクセスは中断され、トリガされたランダムアクセスが開始されてもよく、現在進行中のランダムアクセスを継続することが決定された場合、現在進行中のランダムアクセスは、トリガされたランダムアクセスを開始せずに継続されてもよい。
【００３６】
したがって、第１の構成情報を設定することによって、ＵＥがトリガされたランダムアクセスを開始するか、または現在進行中のランダムアクセスを継続するかを制御することが可能であり、これは、ＵＥの制御可能性を改善する。
【００３７】
第１の構成情報はリアルタイムで基地局によって構成されてもよく、例えば、第１の構成情報は無線リソース制御（ＲＲＣ）メッセージを介して基地局によって送信されてもよく、または、例えば、電子デバイスが工場を出るときに電子デバイスの製造業者によって設定されるように、電子デバイスに事前に格納されてもよい。
【００３８】
任意選択で、この方法はさらに以下を含む。
ランダムアクセスがトリガされた後、トリガされたランダムアクセスが開始される前に、ビーム障害回復タイマのタイミングを現在のタイミング値に基づいて維持する。
【００３９】
すなわち、ランダムアクセスがトリガされると、ビーム障害回復タイマはリセットまたは再始動されず、トリガされたランダムアクセスが開始されると、ビーム障害回復タイマはリセットまたは再始動される。
【００４０】
図３は、本開示のいくつかの実施形態による、タイマを制御するためのさらに別の方法を示す概略フローチャートである。図３に示すように、この方法はさらに以下を含む。
ステップＳ５ではビーム障害回復タイマをリセットまたは再始動する前に、ビーム障害回復タイマをリセットするか、または再始動するかが、第２の構成情報に従って決定される。
判定の結果、ビーム障害回復タイマをリセットまたは再始動する場合には、ビーム障害回復タイマをリセットまたは再始動する。
【００４１】
一実施形態ではトリガされたランダムアクセスを開始すると、ＵＥは第２の構成情報に従ってビーム障害回復タイマがリセットされるべきか、または再始動されるべきかを決定することができる。判定結果が、ビーム障害回復タイマがリセットまたは再始動されることである場合、ビーム障害回復タイマはリセットまたは再始動されてもよく、判定結果が、ビーム障害回復タイマがリセットまたは再始動されないことである場合、ビーム障害回復タイマは動作し続けてもよく、すなわち、現在のタイミング値に基づいてタイミングを継続してもよい。
【００４２】
例えば、ビーム障害回復タイマは、第２の構成情報に従ってリセットまたは再始動されると判定され、次いで、トリガされたランダムアクセスが開始されると、ビーム障害回復タイマを再始動することができる。タイマ値がＴであるときにビーム障害回復タイマが満了する場合、トリガされたランダムアクセスの開始からビーム障害回復時間の満了までの時間はＴであり、すなわち、ＵＥが無競合ランダムアクセスのリソースを占有する時間はＴである。
【００４３】
ビーム障害回復タイマが第２の構成情報に従ってリセットまたは再始動されるべきでないと判定された場合、トリガされたランダムアクセスが開始されると、ビーム障害回復タイマの現在のタイミング値ｔに基づいてタイミングを継続することができる。この場合、トリガされたランダムアクセスの開始からビーム障害回復タイマの満了までの時間はＴ−ｔ、すなわち、ＵＥが無競合ランダムアクセスのリソースを占有する時間はＴ−ｔである。
【００４４】
このように、第２の構成情報を提供して、ユーザがトリガされたランダムアクセスを開始したときに、動作中のビーム障害回復タイマをリセットするかどうかを制御することによって、ビーム障害回復タイマの制御可能性が改善され、それによって、ＵＥが無競合ランダムアクセスのリソースを占有する期間の制御可能性が改善される。
【００４５】
第２の構成情報はリアルタイムで基地局によって構成されてもよく、例えば、第２の構成情報はＲＲＣメッセージを介して基地局によって送信されてもよく、または、例えば、電子デバイスが工場を出るときに電子デバイスの製造業者によって設定されるように、電子デバイスに事前に格納されてもよい。
【００４６】
一実施形態では、ＵＥによってランダムアクセスが現在進行中であるとき、ビーム障害回復のためにランダムアクセスがトリガされる場合、ランダムアクセスプロセス中にプリアンブルを繰り返し送信する回数が検出され得る。数が予め設定された数よりも小さい場合、ビーム障害回復タイマはリセットされるか、または再始動されてもよい。
【００４７】
図４は、本開示のいくつかの実施形態による、タイマを制御するためのさらに別の方法を示す概略フローチャートである。図４に示すように、この方法はさらに以下を含む。
ステップＳ６において、トリガされたランダムアクセスが成功すると、ビーム障害指示カウンタのカウント値がゼロに設定される。
【００４８】
一実施形態では、トリガされたランダムアクセスが成功すると、すなわち、トリガされたランダムアクセスが完了する。この場合、ビーム障害指示カウンタのカウント値はゼロに設定することができ、すなわち、物理層はビーム障害指示カウンタのカウント値がゼロに設定されるために、ビーム障害インスタンス指示を媒体アクセス制御層に送信することができるが、すなわち、ビーム障害指示カウンタのカウント値はプリセット値未満であり、これはランダムアクセスをトリガするための条件を満たさず、ランダムアクセスは再びトリガされず、ビーム障害指示カウンタのカウント値のみが１だけ増加され、それによって、ランダムアクセスの頻繁なトリガを回避する。
【００４９】
この実施形態で言及されるランダムアクセスの成功は、ＵＥが物理制御ダウンリンクチャネルに関する情報を受信することによって、ランダムアクセスが成功したと判定することであり得ることに留意されたい。
【００５０】
図５は、本開示のいくつかの実施形態による、タイマを制御するためのさらに別の方法を示す概略フローチャートである。図５に示すように、ビーム障害回復タイマのリセット又は再始動は以下を含む。
ステップＳ４１において、ビーム障害指示カウンタに対応するサービングセルが決定される。
ステップＳ４２で、ビーム障害回復タイマが、サービングセルに対してリセット又は再始動される。
【００５１】
一実施形態ではビーム障害指示カウンタがサービングセルに対して構成され得るので、サービングセルは一次セル、一次二次セル、並びに一次セル及び一次二次セル以外のサービングセルのうちの少なくとも１つを含む。したがって、カウント値がプリセット値以上であるビーム障害指示カウンタについて、ビーム障害指示カウンタに対応するサービングセルが決定され、次いで、サービングセルに対してビーム障害回復タイマがリセットされるか、または再開されて、カウント値がプリセット値未満であるビーム障害指示カウンタに対応するセルが誤ってビーム障害回復タイマをリセットするか、または再開することを回避することができる。
【００５２】
また、上記タイマ制御方法の実施形態に対応して、本開示は、タイマ制御装置の実施形態を提供する。
【００５３】
図６は、本開示のいくつかの実施形態による、タイマ制御装置を示す概略ブロック図である。なお、本実施形態に示すタイマ制御装置は、電子デバイスに適用してもよい。電子デバイスは、通信のためのＵＥであってもよい。ＵＥは、携帯電話、タブレット・コンピュータ、スマート・ウェアラブル・デバイス等であってもよく、この場合、ＵＥはＮＲを介して通信することができる。
【００５４】
図６に示すように、タイマ制御装置は以下を含む。
媒体アクセス制御層が物理層によって送信されたビーム障害インスタンス指示を受信すると、ビーム障害指示カウンタのカウント値がプリセット値以上であるかどうかを決定するように構成されたカウント値決定モジュール１。
ビーム障害指示カウンタのカウント値がプリセット値以上である場合に、ランダムアクセスをトリガするように構成されたランダムアクセスモジュール２。
トリガされたランダムアクセスが開始されるべきかどうかを決定するように構成された開始決定モジュール３。
トリガされたランダムアクセスが開始されるべきであると判定された場合、トリガされたランダムアクセスを開始すると、ビーム障害回復タイマをリセットまたは再始動するように構成されたタイマ制御モジュール４。
【００５５】
任意選択で、開始決定モジュール３は、ランダムアクセスが電子デバイスによって現在進行中である場合に、トリガされたランダムアクセスを開始するか、または第１の構成情報に従って現在進行中のランダムアクセスを継続するかを決定するように構成される。
【００５６】
決定結果がトリガされたランダムアクセスを開始することを示す場合、トリガされたランダムアクセスはランダムアクセスモジュールによって開始される。
【００５７】
任意選択で、タイマ制御モジュールはランダムアクセスがトリガされた後、トリガされたランダムアクセスが開始される前に、現在のタイミング値に基づいてビーム障害回復タイマタイミングを維持するようにさらに構成される。
【００５８】
図７は、本開示のいくつかの実施形態による、タイマを制御するための別の装置を示す概略ブロック図である。図７に示すように、図６に示す実施例に基づいて、タイマ制御装置は更に、以下を含む。
タイマ制御モジュール４がビーム障害回復タイマをリセットまたは再始動する前に、第２の構成情報に従ってビーム障害回復タイマをリセットまたは再始動するかどうかを決定し、
判定結果が、ビーム障害回復タイマをリセットまたは再始動することである場合、ビーム障害回復タイマをリセットまたは再始動するように構成された制御決定モジュール５。
【００５９】
図８は、本開示のいくつかの実施形態による、タイマを制御するためのさらに別の装置を示す概略ブロック図である。図８に示すように、図６に示す実施例に基づいて、タイマ制御装置は更に、以下を含む。
トリガされたランダムアクセスが成功したときに、ビーム障害指示カウンタのカウント値をゼロに設定するように構成されたカウンタ制御モジュール６。
【００６０】
図９は、本開示のいくつかの実施形態によるタイマ制御モジュールを示す概略ブロック図である。図９に示されるように、図６に示される実施例に基づいて、タイマ制御モジュール４は以下を含む。
ビーム障害指示カウンタに対応するサービングセルを決定するように構成されたセル決定サブモジュール４１。
サービングセルのビーム障害回復タイマをリセットまたは再始動するように構成されたタイマ制御サブモジュール４２。
【００６１】
任意選択で、サービングセルは、以下のうちの少なくとも１つを含む。
一次セル、一次二次セル、並びに一次セル及び一次二次セル以外のサービングセル。
【００６２】
上記の例における装置に関して、それぞれのモジュールが動作を実行する具体的な方法は関連する方法の例において詳細に説明されており、本明細書では詳細に説明されない。
【００６３】
装置の例は、方法の例に実質的に対応するので、関連する部分についての方法の例の説明の一部を参照することができる。上述した装置の例は単に例示的なものであり、別個の部材として記載されたユニットは、物理的に分離されていてもいなくてもよく、ユニットとして表示された部材は物理的なユニットであってもなくてもよく、すなわち、１つの場所に配置されてもよく、または複数のネットワークユニットに分散されてもよい。モジュールの一部または全部は実施例における解決策の目的を実施するために、実際の要件に従って選択されてもよい。当業者は創造的な仕事なしにそれらを理解し、実行することができる。
【００６４】
本開示の実施形態はまた、以下を含む電子デバイスを提供する。
プロセッサ。
プロセッサによって実行可能命令を記憶するためのメモリ。
ここで、プロセッサは、上記実施形態のいずれかの方法を実行するように構成される。
【００６５】
本開示の実施形態はまた、コンピュータプログラムがプロセッサによって実行されるときに、上記実施形態のいずれかの方法におけるステップが実施される、コンピュータプログラムを記憶するコンピュータ可読記憶媒体を提供する。
【００６６】
図１０は、本開示のいくつかの実施形態による、ランダムアクセス制御のための装置１０００を示す概略ブロック図である。例えば、装置１０００は、携帯電話、コンピュータ、デジタル放送端末、メッセージ送受信デバイス、ゲームコンソール、タブレットデバイス、医療デバイス、フィットネスデバイス、携帯情報端末などとすることができる。
【００６７】
図１０に示すように、装置１０００は、処理コンポーネント１００２、メモリ１００４、電源コンポーネント１００６、マルチメディアコンポーネント１００８、オーディオコンポーネント１０１０、入力／出力（Ｉ／Ｏ）インターフェース１０１２、センサコンポーネント１０１４、および通信コンポーネント１０１６のうちの１つまたは複数を含むことができる。
【００６８】
処理コンポーネント１００２は一般に、表示、電話呼、データ通信、カメラ動作、および記録動作に関連する動作など、装置１０００の動作全体を制御する。処理コンポーネント１００２は上述のステップの全部または一部を実行する命令を実行するために、１つまたは複数のプロセッサ１０２０を含むことができる。さらに、処理コンポーネント１００２は、処理コンポーネント１００２と他のコンポーネントとの間の対話を容易にする１つまたは複数のモジュールを含むことができる。例えば、処理コンポーネント１００２は、マルチメディアコンポーネント１００８と処理コンポーネント１００２との間の対話を容易にするためのマルチメディアモジュールを含むことができる。
【００６９】
メモリ１００４はデバイス１０００における動作をサポートするために、様々なタイプのデータを記憶するように構成される。そのようなデータの例には、装置１０００上で動作する任意のアプリケーションまたは方法のための命令、連絡先データ、電話帳データ、メッセージ、写真、ビデオなどが含まれる。メモリ１００４は、スタティックランダムアクセスメモリ、電気的消去可能プログラマブル読出し専用メモリ、消去可能プログラマブル読出し専用メモリ、プログラム可能読出し専用メモリ、プログラム可能読出し専用メモリ、ＰＲＯＭ、読出し専用メモリ、ＲＯＭ、磁気メモリ、フラッシュメモリ、磁気またはコンパクトディスクなど、任意のタイプの揮発性または不揮発性メモリデバイスまたはこれらの組み合わせによって実現することができる。
【００７０】
電力構成要素１００６は、装置１０００のさまざまな構成要素に電力を供給する。電力構成要素１００６は電力管理システムと、１つまたは複数の電源と、装置１０００の電力を生成し、管理し、配電することに関連する他の構成要素とを含むことができる。
【００７１】
マルチメディア構成要素１００８は、出力インターフェースを提供する装置１０００とユーザとの間のスクリーンを含む。いくつかの例では、スクリーンが液晶ディスプレイ（ＬＣＤ）およびタッチパネル（ＴＰ）を含むことができる。スクリーンがタッチパネルを含む場合、スクリーンは、ユーザからの入力信号を受信するためのタッチスクリーンとして実施することができる。タッチパネルは、タッチパネル上のタッチ、スワイプ、およびジェスチャを感知するための１つまたは複数のタッチセンサを含む。タッチセンサは、タッチまたはスライド動作の境界だけでなく、タッチまたはスライド動作に関連する持続時間および圧力も感知することができる。いくつかの例では、マルチメディアコンポーネント１００８がフロントカメラおよび／またはリアカメラを含むことができる。装置１０００が撮影モードまたはビデオモードなどの動作モードにあるとき、フロントカメラおよび／またはリアカメラは、外部マルチメディアデータを受信することができる。各フロントカメラとリアカメラは、固定光学レンズシステムにすることも、焦点距離と光学ズーム機能を持つこともできる。
【００７２】
オーディオコンポーネント１０１０は、オーディオ信号を出力および／または入力するように構成され得る。例えば、オーディオコンポーネント１０１０は、装置１０００が通話モード、録音モード、および音声認識モードなどの動作モードにあるときに外部オーディオ信号を受信するように構成されたマイクロフォン（ＭＩＣ）を含むことができる。受信されたオーディオ信号は、メモリ１００４にさらに格納されてもよく、または通信コンポーネント１０１６を介して送信されてもよい。いくつかの例では、オーディオコンポーネント１０１０がオーディオ信号を出力するためのスピーカをさらに含む。
【００７３】
入出力インターフェース１０１２は、処理コンポーネント１００２と周辺インターフェースモジュールとの間のインターフェースを提供する。上記の周辺インターフェースモジュールは、キーボード、クリックホイール、ボタンなどであってもよい。これらのボタンはホームボタン、音量ボタン、開始ボタン、およびロックボタンを含むことができるが、これらに限定されない。
【００７４】
センサ構成要素１０１４は装置１０００に対する種々の態様の状態評価を提供するために、１つ以上のセンサを含んでもよい。例えば、センサ構成要素１０１４は装置１０００の開／閉状態、装置１０００の表示およびキーパッドなどの構成要素の相対的位置決めを検出することができ、センサ構成要素１０１４は、装置１０００の位置の変化、または装置１０００の構成要素、装置１０００とのユーザ接触の有無、装置１０００の方向または加速／減速、および装置１０００の温度変化を検出することもできる。センサ構成要素１０１４は、いかなる物理的接触もなく、近くの物体の存在を検出するように構成された近接センサを含んでもよい。センサコンポーネント１０１４はさらに、撮像用途で使用されるＣＭＯＳまたはＣＣＤ撮像素子などの光学センサを含んでもよい。いくつかの例では、センサ構成要素１０１４が加速度センサ、ジャイロスコープセンサ、磁気センサ、圧力センサ、又は温度センサをさらに含んでもよい。
【００７５】
通信構成要素１０１６は、装置１０００と他のデバイスとの間の有線または無線通信を容易にするように構成され得る。装置１０００は、ＷｉＦｉ、２Ｇ、または３Ｇ、あるいはそれらの組合せなどの通信規格に基づいて無線ネットワークにアクセスすることができる。例示的な例では、通信コンポーネント１０１６がブロードキャストチャネルを介して外部ブロードキャスト管理システムからブロードキャスト信号またはブロードキャスト関連情報を受信する。例示的な例では、通信構成要素１０１６はまた、短距離通信を容易にするために近距離通信（ＮＦＣ）モジュールを含む。例えば、ＮＦＣモジュールは、無線周波数識別（ＲＦＩＤ）技術、赤外線データアソシエーション（ＩｒＤＡ）技術、超広帯域（ＵＷＢ）技術、ブルートゥース（登録商標）（ＢＴ）技術、および他の技術に基づいて実装され得る。
【００７６】
例示的な例では、装置１０００が１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ、または上記の例のいずれかで説明した方法を実行するための他の電子要素によって実装され得る。
【００７７】
例示的な例では、上記の方法を実行するために装置１０００のプロセッサ１０２０によって実行可能な命令を備えるメモリ１００４などの命令を備える非一時的なコンピュータ可読記憶媒体も提供される。例えば、一時的でないコンピュータ読取り可能記憶媒体は、ＲＯＭ、ランダム・アクセス・メモリ、ＣＤ−ＲＯＭ、磁気テープ、フロッピー・ディスク、および光データ記憶装置であってもよい。
【００７８】
本明細書を参照することによって、本開示を実施した後に、本開示の他の実施態様が当業者には容易に明らかになるのであろう。本出願は本開示の一般原理に従い、本開示に開示されていない技術分野の技術常識または従来の技術手段を含む、本開示の任意の変形、使用、または適応を包含することが意図される。当該明細書及びその例示はあくまで例示的なものであり、開示の範囲及び精神は付属請求権によって示されるものとする。
【００７９】
なお、本開示は、上述した図面に示す構成に限定されるものではなく、その要旨を逸脱しない範囲で種々の変更、修正が可能である。開示の範囲は、添付の特許請求の範囲によってのみ限定される。
【００８０】
本明細書で使用される「第１」および「第２」のような関係用語は単に、これらのエンティティまたはオペレーション間のこれらの実際の関係または既存の関係を要求または暗示するのではなく、あるエンティティまたはオペレーションを別のエンティティまたはオペレーションから区別することを意図しているにすぎないことに留意しなければならない。また、「含む」、「含む」またはそのバリエーションという用語は、一連のエレメントを含むプロセス、方法、物品またはデバイスがそれらのエレメントのみならず、明示的に列挙されていない他のエレメント、またはそのようなプロセス、方法、物品またはデバイスに固有のエレメントも含むように、非排他的包含を包含することを意図している。
【００８１】
上記は、本開示の例に従って提供される方法およびデバイスの詳細な説明である。本明細書では本開示の原理および実施方法を説明するために特定の例が使用され、上記の例の説明は本開示の方法およびコアアイデアの理解を助けることのみを意図している。一方、当業者は、本開示の概念に従って、特定の例および適用範囲に変更を加えることができる。結論として、本明細書の内容は、本開示を限定するものとして解釈されるべきではない。
【図１】
2021531692.tif 000003
【図２】
2021531692.tif 000004
【図３】
2021531692.tif 000005
【図４】
2021531692.tif 000006
【図５】
2021531692.tif 000007
【図６】
2021531692.tif 000008
【図７】
2021531692.tif 000009
【図８】
2021531692.tif 000010
【図９】
2021531692.tif 000011
【図１０】
2021531692.tif 000012
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
電子デバイスに適用可能なタイマ制御方法であって、
媒体アクセス制御層が、物理層によって送信されたビーム障害インスタンス指示を受信したことに応答して、ビーム障害指示カウンタのカウント値がプリセット値以上であるかどうかを判定することと、
前記ビーム障害指示カウンタの前記カウント値が前記プリセット値以上であることに応答して、ランダムアクセスをトリガすることと、
トリガされた前記ランダムアクセスを開始するかどうかを決定することと、
トリガされた前記ランダムアクセスが開始されるべきであるとの決定に応答して、トリガされたランダムアクセスを開始すると、ビーム障害回復タイマをリセットまたは再始動することと、を備えるタイマ制御方法。
【請求項２】
トリガされた前記ランダムアクセスが開始されるべきかどうかを決定することは、
ランダムアクセスが電子デバイスによって現在進行中であることに応答して、第１の構成情報に従って、トリガされた前記ランダムアクセスを開始するか、または現在進行中の前記ランダムアクセスを継続するかを決定することと、
前記決定の結果が、トリガされた前記ランダムアクセスを開始することを示すことに応答して、トリガされた前記ランダムアクセスを開始することを決定することと、を含む、請求項１に記載の方法。
【請求項３】
前記ランダムアクセスがトリガされた後、トリガされた前記ランダムアクセスが開始される前に、前記ビーム障害回復タイマのタイミングを現在のタイミング値に基づいて維持することをさらに含む、請求項１に記載の方法。
【請求項４】
前記ビーム障害回復タイマをリセットまたは再始動する前に、前記ビーム障害回復タイマをリセットまたは再始動するかどうかを、第２の構成情報に従って決定することと、
前記ビーム障害回復タイマがリセットまたは再始動されるべきであると決定することに応答して、前記ビーム障害回復タイマをリセットまたは再始動することと、をさらに含む、請求項１記載の方法。
【請求項５】
トリガされた前記ランダムアクセスが成功したことに応答して、前記ビーム障害指示カウンタの前記カウント値をゼロに設定することをさらに含む、請求項１記載の方法。
【請求項６】
前記ビーム障害回復タイマをリセットまたは再始動することは、
前記ビーム障害指示カウンタに対応するサービングセルを決定することと、
前記サービングセルの前記ビーム障害回復タイマをリセットまたは再始動することと、を含む、請求項１に記載の方法。
【請求項７】
前記サービングセルが、
一次セルと
一次二次セルと
前記一次セル及び前記一次二次セル以外のサービングセルと、のうちの少なくとも１つを含む、請求項６に記載の方法。
【請求項８】
電子デバイスに適用可能なタイマ制御装置であって、
媒体アクセス制御層が物理層によって送信されたビーム障害インスタンス指示を受信したことに応答して、ビーム障害指示カウンタのカウント値がプリセット値以上であるかどうかを決定するように構成されたカウント値決定モジュールと、
前記ビーム障害指示カウンタの前記カウント値が前記プリセット値以上であることに応答して、ランダムアクセスをトリガするように構成されたランダムアクセスモジュールと、
トリガされた前記ランダムアクセスが開始されるべきかどうかを決定するように構成された開始決定モジュールと、
トリガされた前記ランダムアクセスが開始されるべきであるとの決定に応答して、トリガされた前記ランダムアクセスを開始すると、ビーム障害回復タイマをリセットまたは再始動するように構成されたタイマ制御モジュールと、を備えるタイマ制御装置。
【請求項９】
プロセッサと、
前記プロセッサによって実行可能な命令を記憶するためのメモリと、を備え、
前記プロセッサは、
媒体アクセス制御層が、物理層によって送信されたビーム障害インスタンス指示を受信したことに応答して、ビーム障害指示カウンタのカウント値がプリセット値以上であるかどうかを判定することと、
前記ビーム障害指示カウンタの前記カウント値が前記プリセット値以上であることに応答して、ランダムアクセスをトリガすることと、
トリガされた前記ランダムアクセスを開始するかどうかを決定することと、
トリガされた前記ランダムアクセスが開始されるべきであるとの決定に応答して、トリガされたランダムアクセスを開始すると、ビーム障害回復タイマをリセットまたは再始動することと、を実行するように構成される、電子デバイス。
【手続補正２】
【補正対象書類名】明細書
【補正対象項目名】全文
【補正方法】変更
【補正の内容】
【発明の詳細な説明】
【関連出願の相互参照】
【０００１】
本開示は２０１８年７月１６日に出願された国際特許出願第ＰＣＴ／ＣＮ２０１８／０９５８４０号の優先権を主張し、その全体が参照により本明細書に組み込まれる。
【技術分野】
【０００２】
本開示は通信技術に関し、特に、タイマ制御方法および装置、電子デバイス、ならびにコンピュータ可読記憶媒体に関する。
【背景技術】
【０００３】
新しい無線（ＮＲ）では、ユーザ装置（ＵＥ）がビーム信号を監視することがある。監視されたビーム信号が要件を満たさない場合、物理層は、ビーム障害の１つの記録として、媒体アクセス制御層にビーム障害インスタンス指示を送信することができる。媒体アクセス制御層が物理層によって送信されたビーム障害インスタンス指示を依然として受信している間に、ビーム障害指示カウンタ（ＢＦＩ＿ｃｏｕｎｔｅｒ）がプリセット値以上の値を示す場合、ＵＥはランダムアクセスをトリガすることができ、したがって開始されるランダムアクセスは、無競合ランダムアクセス（ＣＦＲＡ）または競合ベースランダムアクセス（ＣＢＲＡ）とすることができる。
【０００４】
関連技術では、ビーム障害回復タイマが提供され、ＵＥがランダムアクセスをトリガすると、タイマがリセットまたは再始動される。タイマが満了しない場合、ＵＥは好ましくは競合のないランダムアクセスを開始するために競合のないランダムアクセスのためのリソースを使用し、タイマが満了する一方で、ＵＥは、好ましくは競合ランダムアクセスのためのリソースを使用して、ランダムアクセスに基づく競合を開始する。このようにして、ＵＥは１つのタイプのランダムアクセスを開始するために、１つのタイプのリソースを長時間占有しない。
【０００５】
関連して、ランダムアクセスがＵＥによって現在進行中である場合、ビーム障害指示カウンタがプリセット値以上の値を示し、媒体アクセス制御層が物理層によって送信されたビーム障害インスタンス指示を受信すると、ＵＥは、別のランダムアクセスをトリガすることができる。次いで、ＵＥは、進行中のランダムアクセスを継続するか、またはトリガされたランダムアクセスを開始するかを決定する。ほとんどの場合、ＵＥは、進行中のランダムアクセスを継続することができる。
【０００６】
進行中のランダムアクセスのためのビーム障害回復タイマはタイミングであり、トリガされたランダムアクセスをトリガするとリセットまたは再始動される。しかしながら、ＵＥが進行中のランダムアクセスを継続することを決定する場合、ビーム障害回復タイマはリセットされるべきではなく、タイミングを継続すべきであり、すなわち、現在のタイミング値に基づいてタイミングを継続すべきである。
【０００７】
関連技術によれば、ビーム障害回復タイマをリセットすべきでない場合であっても、トリガされたランダムアクセスによってビーム障害回復タイマのリセットが発生する可能性があることが分かる。この場合、このタイマは長時間にわたって期限切れにならず、ＵＥは長時間にわたって無競合ランダムアクセスのためのリソースを使用して、長時間にわたって無競合ランダムアクセスを開始し、これは無競合ランダムアクセスのためのリソースの過剰な占有を引き起こす。
【発明の概要】
【発明が解決しようとする課題】
【０００８】
そこで、本発明は、タイマ制御方法、タイマ制御装置、電子デバイス、及びコンピュータ読み取り可能な記憶媒体を提供する。
【課題を解決するための手段】
【０００９】
本開示の実施形態の第１の態様によれば、電子デバイスに適用可能なタイマ制御方法が提供され、該方法は以下を含む。
媒体アクセス制御層が、物理層によって送信されたビーム障害インスタンス指示を受信した場合、ビーム障害指示カウンタのカウント値がプリセット値以上であるかどうかを判定すること。
ビーム障害指示カウンタのカウント値がプリセット値以上である場合、ランダムアクセスをトリガすること。
トリガされたランダムアクセスが開始されるべきかどうか決定すること。
トリガされたランダムアクセスが開始されるべきであると判定された場合、トリガされたランダムアクセスを開始すると、ビーム障害回復タイマをリセットまたは再始動すること。
【００１０】
任意選択で、トリガされたランダムアクセスが開始されるべきかどうかを判定することは、
ランダムアクセスが電子デバイスによって現在進行中である場合、第１の構成情報に従って、トリガされたランダムアクセスを開始するか、または現在進行中のランダムアクセスを継続するかを決定することと、
決定結果がトリガされたランダムアクセスを開始することを示している場合、トリガされたランダムアクセスを開始することと、を含む。
【００１１】
任意選択で、この方法はさらに以下を含む。
ランダムアクセスがトリガされた後、トリガされたランダムアクセスが開始される前に、ビーム障害回復タイマのタイミングを現在のタイミング値に基づいて維持すること。
【００１２】
任意選択で、この方法はさらに以下を含む。
ビーム障害回復タイマをリセットまたは再始動する前に、ビーム障害回復タイマをリセットまたは再始動するかどうかを、第２の構成情報に従って決定すること。
判定結果が、ビーム障害回復タイマをリセットまたは再始動することである場合、ビーム障害回復タイマをリセットまたは再始動すること。
【００１３】
任意選択で、この方法はさらに以下を含む。
トリガされたランダムアクセスが成功した場合、ビーム障害指示カウンタのカウント値をゼロに設定すること。
【００１４】
任意選択で、ビーム障害回復タイマをリセットまたは再始動することには、以下が含まれる。
ビーム障害指示カウンタに対応するサービングセルを決定すること。
サービングセルのビーム障害回復タイマをリセットまたは再始動すること。
【００１５】
任意選択で、サービングセルは、以下のうちの少なくとも１つを含む。
一次セル、一次二次セル、並びに一次セル及び一次二次セル以外のサービングセル。
【００１６】
本発明の第２の側面によれば、電子デバイスに適用可能なタイマ制御装置が提供され、該装置は以下を含む。
媒体アクセス制御層が物理層によって送信されたビーム障害インスタンス指示を受信したときに、ビーム障害指示カウンタのカウント値がプリセット値以上であるかどうかを判定するように構成されたカウント値決定モジュール。
ビーム障害指示カウンタのカウント値がプリセット値以上である場合、ランダムアクセスをトリガするように構成されたランダムアクセスモジュール。
トリガされたランダムアクセスが開始されるべきかどうかを決定するように構成された開始決定モジュール。
トリガされたランダムアクセスが開始されるべきであると判定された場合、トリガされたランダムアクセスを開始すると、ビーム障害回復タイマをリセットまたは再始動するように構成されたタイマ制御モジュール。
【００１７】
任意選択で、開始決定モジュールは、電子デバイスによってランダムアクセスが現在進行中である場合、第１の構成情報に従って、トリガされたランダムアクセスを開始するか、または現在進行中のランダムアクセスを継続するかを決定するように構成される。
ここで、決定結果がトリガされたランダムアクセスを開始することを示す場合、開始決定モジュールは、トリガされたランダムアクセスを開始する。
【００１８】
任意選択で、タイマ制御モジュールはランダムアクセスがトリガされた後、トリガされたランダムアクセスが開始される前に、現在のタイミング値に基づいてビーム障害回復タイマタイミングを維持するようにさらに構成される。
【００１９】
任意選択で、装置はさらに以下を含む。
制御決定モジュールは、タイマ制御モジュールがビーム障害回復タイマをリセットまたは再始動する前に、ビーム障害回復タイマをリセットするか再始動するかを第２の構成情報に従って決定するように構成されている。
ビーム障害回復タイマをリセットまたは再始動すると判定された場合、ビーム障害回復タイマをリセットまたは再始動する。
【００２０】
任意選択で、装置はさらに以下を含む。
トリガされたランダムアクセスが成功したときに、ビーム障害指示カウンタのカウント値をゼロに設定するように構成されたカウンタ制御モジュール。
【００２１】
任意選択で、タイマ制御モジュールは以下を含む。
ビーム障害指示カウンタに対応するサービングセルを決定するように構成されたセル決定サブモジュール。
サービングセルのビーム障害回復タイマをリセットまたは再始動するように構成されたタイマ制御サブモジュール。
【００２２】
任意選択で、サービングセルは、以下のうちの少なくとも１つを含む。
一次セル、一次二次セル、並びに一次セル及び一次二次セル以外のサービングセル。
【００２３】
本開示の実施形態の第３の態様によれば、電子デバイスが提供され、以下を含む。
プロセッサと
プロセッサによって実行可能な命令を記憶するためのメモリ。
ここで、プロセッサは、上記実施形態のいずれかの方法を実行するように構成される。
【００２４】
本開示の実施形態の第４の態様によれば、コンピュータプログラムがプロセッサによって実行されるときに、上記実施形態のいずれかの方法におけるステップが実施される、コンピュータプログラムを記憶するコンピュータ可読媒体が提供される。
【発明の効果】
【００２５】
本開示の実施形態によれば、ビーム障害回復タイマは、トリガされたランダムアクセスを開始するときのみ、リセットまたは再始動され、すなわち、ランダムアクセスがトリガされるときにビーム障害回復タイマはリセットまたは再始動されない。
【００２６】
このように、ＵＥが進行中のランダムアクセスを継続することを選択した場合、ビーム障害回復タイマが満了しないときに、ビーム障害回復タイマがリセットされることを防止することができる。これにより、ＵＥが進行中のランダムアクセスを継続することを選択した場合、ランダムアクセスがトリガされると、ビーム障害回復タイマはタイミングを継続することができ、タイマが満了するか、またはトリガされたランダムアクセスが開始されるまでリセットまたは再始動されることが保証される。このようにして、ビーム障害回復タイマが満了することなく事前にリセットされ、ＵＥは、無競合ランダムアクセスのためのリソースを使用して、無競合ランダムアクセスを長時間にわたって開始することを防止することができ、したがって、無競合ランダムアクセスのリソースに対する過剰な占有を防止する。
【図面の簡単な説明】
【００２７】
本願の実施例における技術的解決策をより明確に説明するために、実施例の説明に用いた図面を以下に簡単に説明する。以下の説明における図面は、本出願のいくつかの例に過ぎず、他の図面もまた、図面を考慮して当業者から得られ得ることは明らかである。
【００２８】
【図１】本開示のいくつかの実施形態による、タイマ制御装置を示す概略ブロック図である。
【図２】本開示のいくつかの実施形態による、タイマを制御するための別の方法を示す概略フローチャートである。
【図３】本開示のいくつかの実施形態による、タイマを制御するためのさらに別の方法を示す概略フローチャートである。
【図４】本開示のいくつかの実施形態による、タイマを制御するためのさらに別の方法を示す概略フローチャートである。
【図５】本開示のいくつかの実施形態による、タイマを制御するためのさらに別の方法を示す概略フローチャートである。
【図６】本開示のいくつかの実施形態による、タイマ制御装置を示す概略ブロック図である。
【図７】本開示のいくつかの実施形態による、タイマを制御するための別の装置を示す概略ブロック図である。
【図８】本開示のいくつかの実施形態による、タイマを制御するためのさらに別の装置を示す概略ブロック図である。
【図９】本開示のいくつかの実施形態によるタイマ制御モジュールを示す概略ブロック図である。
【図１０】本開示のいくつかの実施形態によるランダムアクセス制御のための装置を示す概略ブロック図である。
【発明を実施するための形態】
【００２９】
本出願の実施例における技術的解決策は、本出願の実施例における図面を参照して、以下に明確かつ完全に記載される。記載された実施例は、本出願の実施例の一部に過ぎず、実施例の全てではないことは明らかである。本発明の範囲から逸脱することなく、本出願の実施例に基づいて当業者によって得られる他の全ての実施例は、本出願の範囲内である。
【００３０】
図１は、本開示のいくつかの実施形態による、タイマ制御装置を示す概略ブロック図である。なお、本実施形態に示すタイマ制御方法は、電子デバイスに適用してもよい。電子デバイスは、通信のためのユーザ機器（ＵＥ）であってもよい。ＵＥは、携帯電話、タブレット・コンピュータ、スマート・ウェアラブル・デバイス等であってもよく、この場合、ＵＥはＮＲを介して通信することができる。
【００３１】
図１に示すように、タイマ制御方法は、以下のステップを含む。
ステップＳ１において、媒体アクセス制御層が物理層によって送信されたビーム障害インスタンス指示を受信すると、ビーム障害指示カウンタのカウント値がプリセット値以上であるかどうかが決定される。
ステップＳ２において、ビーム障害指示カウンタのカウント値がプリセット値以上であれば、ランダムアクセスがトリガされる。
ステップＳ３において、トリガされたランダムアクセスが開始されるべきかどうかが決定される。
ステップＳ４において、トリガされたランダムアクセスが開始されるべきであると判定された場合、トリガされたランダムアクセスが開始されると、ビーム障害回復タイマがリセットまたは再始動される。
【００３２】
一実施形態では、トリガされたランダムアクセスが開始されたときにのみビーム障害回復タイマがリセットまたは再始動され、すなわち、ランダムアクセスがトリガされたときビーム障害回復タイマはリセットまたは再始動されない。
【００３３】
したがって、ランダムアクセスがトリガされるとき、ランダムアクセスがＵＥによって現在進行中である場合、ＵＥが進行中のランダムアクセスを継続することを選択するとき、ビーム障害回復タイマが、満了前にリセットまたは再始動されることを回避することができる。これはＵＥが進行中のランダムアクセスを継続することを選択するとき、ビーム障害回復タイマはトリガされたランダムアクセスによってリセットまたは再始動しないことができるが、タイマが満了するか、またはトリガされたランダムアクセスを開始するまでタイミングを取り続けることができ、これはビーム障害回復タイマが事前にリセットされることによってＵＥが満了しないようにすることを回避し、ＵＥは無競合ランダムアクセスのリソースを選択して、無競合ランダムアクセスのリソースを長時間にわたって開始し、無競合ランダムアクセスのリソースの過剰な占有を引き起こすことを保証する。
【００３４】
図２は、本開示のいくつかの実施形態による、タイマを制御するための別の方法を示す概略フローチャートである。図２に示すように、トリガされたランダムアクセスを開始するかどうかを決定することは、以下を含む。
ステップＳ３１において、ランダムアクセスが電子デバイスによって現在進行中である場合、トリガされたランダムアクセスを開始するか、または現在進行中のランダムアクセスを継続するかが、第１の構成情報に従って決定される。
【００３５】
決定結果がトリガされたランダムアクセスを開始することを示す場合、トリガされたランダムアクセスが開始される。
【００３６】
一実施形態ではランダムアクセスがトリガされるが、ランダムアクセスが電子デバイスによって現在進行中である場合、ＵＥはトリガされたランダムアクセスを開始するか、または現在進行中のランダムアクセスを継続するかを第１の構成情報に従って決定することができる。トリガされたランダムアクセスを開始することが決定された場合、現在のランダムアクセスは中断され、トリガされたランダムアクセスが開始されてもよく、現在進行中のランダムアクセスを継続することが決定された場合、現在進行中のランダムアクセスは、トリガされたランダムアクセスを開始せずに継続されてもよい。
【００３７】
したがって、第１の構成情報を設定することによって、ＵＥがトリガされたランダムアクセスを開始するか、または現在進行中のランダムアクセスを継続するかを制御することが可能であり、これは、ＵＥの制御可能性を改善する。
【００３８】
第１の構成情報はリアルタイムで基地局によって構成されてもよく、例えば、第１の構成情報は無線リソース制御（ＲＲＣ）メッセージを介して基地局によって送信されてもよく、または、例えば、電子デバイスが工場を出るときに電子デバイスの製造業者によって設定されるように、電子デバイスに事前に格納されてもよい。
【００３９】
任意選択で、この方法はさらに以下を含む。
ランダムアクセスがトリガされた後、トリガされたランダムアクセスが開始される前に、ビーム障害回復タイマのタイミングを現在のタイミング値に基づいて維持する。
【００４０】
すなわち、ランダムアクセスがトリガされると、ビーム障害回復タイマはリセットまたは再始動されず、トリガされたランダムアクセスが開始されると、ビーム障害回復タイマはリセットまたは再始動される。
【００４１】
図３は、本開示のいくつかの実施形態による、タイマを制御するためのさらに別の方法を示す概略フローチャートである。図３に示すように、この方法はさらに以下を含む。
ステップＳ５ではビーム障害回復タイマをリセットまたは再始動する前に、ビーム障害回復タイマをリセットするか、または再始動するかが、第２の構成情報に従って決定される。
判定の結果、ビーム障害回復タイマをリセットまたは再始動する場合には、ビーム障害回復タイマをリセットまたは再始動する。
【００４２】
一実施形態ではトリガされたランダムアクセスを開始すると、ＵＥは第２の構成情報に従ってビーム障害回復タイマがリセットされるべきか、または再始動されるべきかを決定することができる。判定結果が、ビーム障害回復タイマがリセットまたは再始動されることである場合、ビーム障害回復タイマはリセットまたは再始動されてもよく、判定結果が、ビーム障害回復タイマがリセットまたは再始動されないことである場合、ビーム障害回復タイマは動作し続けてもよく、すなわち、現在のタイミング値に基づいてタイミングを継続してもよい。
【００４３】
例えば、ビーム障害回復タイマは、第２の構成情報に従ってリセットまたは再始動されると判定され、次いで、トリガされたランダムアクセスが開始されると、ビーム障害回復タイマを再始動することができる。タイマ値がＴであるときにビーム障害回復タイマが満了する場合、トリガされたランダムアクセスの開始からビーム障害回復時間の満了までの時間はＴであり、すなわち、ＵＥが無競合ランダムアクセスのリソースを占有する時間はＴである。
【００４４】
ビーム障害回復タイマが第２の構成情報に従ってリセットまたは再始動されるべきでないと判定された場合、トリガされたランダムアクセスが開始されると、ビーム障害回復タイマの現在のタイミング値ｔに基づいてタイミングを継続することができる。この場合、トリガされたランダムアクセスの開始からビーム障害回復タイマの満了までの時間はＴ−ｔ、すなわち、ＵＥが無競合ランダムアクセスのリソースを占有する時間はＴ−ｔである。
【００４５】
このように、第２の構成情報を提供して、ユーザがトリガされたランダムアクセスを開始したときに、動作中のビーム障害回復タイマをリセットするかどうかを制御することによって、ビーム障害回復タイマの制御可能性が改善され、それによって、ＵＥが無競合ランダムアクセスのリソースを占有する期間の制御可能性が改善される。
【００４６】
第２の構成情報はリアルタイムで基地局によって構成されてもよく、例えば、第２の構成情報はＲＲＣメッセージを介して基地局によって送信されてもよく、または、例えば、電子デバイスが工場を出るときに電子デバイスの製造業者によって設定されるように、電子デバイスに事前に格納されてもよい。
【００４７】
一実施形態では、ＵＥによってランダムアクセスが現在進行中であるとき、ビーム障害回復のためにランダムアクセスがトリガされる場合、ランダムアクセスプロセス中にプリアンブルを繰り返し送信する回数が検出され得る。数が予め設定された数よりも小さい場合、ビーム障害回復タイマはリセットされるか、または再始動されてもよい。
【００４８】
図４は、本開示のいくつかの実施形態による、タイマを制御するためのさらに別の方法を示す概略フローチャートである。図４に示すように、この方法はさらに以下を含む。
ステップＳ６において、トリガされたランダムアクセスが成功すると、ビーム障害指示カウンタのカウント値がゼロに設定される。
【００４９】
一実施形態では、トリガされたランダムアクセスが成功すると、すなわち、トリガされたランダムアクセスが完了する。この場合、ビーム障害指示カウンタのカウント値はゼロに設定することができ、すなわち、物理層はビーム障害指示カウンタのカウント値がゼロに設定されるために、ビーム障害インスタンス指示を媒体アクセス制御層に送信することができるが、すなわち、ビーム障害指示カウンタのカウント値はプリセット値未満であり、これはランダムアクセスをトリガするための条件を満たさず、ランダムアクセスは再びトリガされず、ビーム障害指示カウンタのカウント値のみが１だけ増加され、それによって、ランダムアクセスの頻繁なトリガを回避する。
【００５０】
この実施形態で言及されるランダムアクセスの成功は、ＵＥが物理制御ダウンリンクチャネルに関する情報を受信することによって、ランダムアクセスが成功したと判定することであり得ることに留意されたい。
【００５１】
図５は、本開示のいくつかの実施形態による、タイマを制御するためのさらに別の方法を示す概略フローチャートである。図５に示すように、ビーム障害回復タイマのリセット又は再始動は以下を含む。
ステップＳ４１において、ビーム障害指示カウンタに対応するサービングセルが決定される。
ステップＳ４２で、ビーム障害回復タイマが、サービングセルに対してリセット又は再始動される。
【００５２】
一実施形態ではビーム障害指示カウンタがサービングセルに対して構成され得るので、サービングセルは一次セル、一次二次セル、並びに一次セル及び一次二次セル以外のサービングセルのうちの少なくとも１つを含む。したがって、カウント値がプリセット値以上であるビーム障害指示カウンタについて、ビーム障害指示カウンタに対応するサービングセルが決定され、次いで、サービングセルに対してビーム障害回復タイマがリセットされるか、または再開されて、カウント値がプリセット値未満であるビーム障害指示カウンタに対応するセルが誤ってビーム障害回復タイマをリセットするか、または再開することを回避することができる。
【００５３】
また、上記タイマ制御方法の実施形態に対応して、本開示は、タイマ制御装置の実施形態を提供する。
【００５４】
図６は、本開示のいくつかの実施形態による、タイマ制御装置を示す概略ブロック図である。なお、本実施形態に示すタイマ制御装置は、電子デバイスに適用してもよい。電子デバイスは、通信のためのＵＥであってもよい。ＵＥは、携帯電話、タブレット・コンピュータ、スマート・ウェアラブル・デバイス等であってもよく、この場合、ＵＥはＮＲを介して通信することができる。
【００５５】
図６に示すように、タイマ制御装置は以下を含む。
媒体アクセス制御層が物理層によって送信されたビーム障害インスタンス指示を受信すると、ビーム障害指示カウンタのカウント値がプリセット値以上であるかどうかを決定するように構成されたカウント値決定モジュール１。
ビーム障害指示カウンタのカウント値がプリセット値以上である場合に、ランダムアクセスをトリガするように構成されたランダムアクセスモジュール２。
トリガされたランダムアクセスが開始されるべきかどうかを決定するように構成された開始決定モジュール３。
トリガされたランダムアクセスが開始されるべきであると判定された場合、トリガされたランダムアクセスを開始すると、ビーム障害回復タイマをリセットまたは再始動するように構成されたタイマ制御モジュール４。
【００５６】
任意選択で、開始決定モジュール３は、ランダムアクセスが電子デバイスによって現在進行中である場合に、トリガされたランダムアクセスを開始するか、または第１の構成情報に従って現在進行中のランダムアクセスを継続するかを決定するように構成される。
【００５７】
決定結果がトリガされたランダムアクセスを開始することを示す場合、トリガされたランダムアクセスはランダムアクセスモジュールによって開始される。
【００５８】
任意選択で、タイマ制御モジュールはランダムアクセスがトリガされた後、トリガされたランダムアクセスが開始される前に、現在のタイミング値に基づいてビーム障害回復タイマタイミングを維持するようにさらに構成される。
【００５９】
図７は、本開示のいくつかの実施形態による、タイマを制御するための別の装置を示す概略ブロック図である。図７に示すように、図６に示す実施例に基づいて、タイマ制御装置は更に、以下を含む。
タイマ制御モジュール４がビーム障害回復タイマをリセットまたは再始動する前に、第２の構成情報に従ってビーム障害回復タイマをリセットまたは再始動するかどうかを決定し、
判定結果が、ビーム障害回復タイマをリセットまたは再始動することである場合、ビーム障害回復タイマをリセットまたは再始動するように構成された制御決定モジュール５。
【００６０】
図８は、本開示のいくつかの実施形態による、タイマを制御するためのさらに別の装置を示す概略ブロック図である。図８に示すように、図６に示す実施例に基づいて、タイマ制御装置は更に、以下を含む。
トリガされたランダムアクセスが成功したときに、ビーム障害指示カウンタのカウント値をゼロに設定するように構成されたカウンタ制御モジュール６。
【００６１】
図９は、本開示のいくつかの実施形態によるタイマ制御モジュールを示す概略ブロック図である。図９に示されるように、図６に示される実施例に基づいて、タイマ制御モジュール４は以下を含む。
ビーム障害指示カウンタに対応するサービングセルを決定するように構成されたセル決定サブモジュール４１。
サービングセルのビーム障害回復タイマをリセットまたは再始動するように構成されたタイマ制御サブモジュール４２。
【００６２】
任意選択で、サービングセルは、以下のうちの少なくとも１つを含む。
一次セル、一次二次セル、並びに一次セル及び一次二次セル以外のサービングセル。
【００６３】
上記の例における装置に関して、それぞれのモジュールが動作を実行する具体的な方法は関連する方法の例において詳細に説明されており、本明細書では詳細に説明されない。
【００６４】
装置の例は、方法の例に実質的に対応するので、関連する部分についての方法の例の説明の一部を参照することができる。上述した装置の例は単に例示的なものであり、別個の部材として記載されたユニットは、物理的に分離されていてもいなくてもよく、ユニットとして表示された部材は物理的なユニットであってもなくてもよく、すなわち、１つの場所に配置されてもよく、または複数のネットワークユニットに分散されてもよい。モジュールの一部または全部は実施例における解決策の目的を実施するために、実際の要件に従って選択されてもよい。当業者は創造的な仕事なしにそれらを理解し、実行することができる。
【００６５】
本開示の実施形態はまた、以下を含む電子デバイスを提供する。
プロセッサ。
プロセッサによって実行可能命令を記憶するためのメモリ。
ここで、プロセッサは、上記実施形態のいずれかの方法を実行するように構成される。
【００６６】
本開示の実施形態はまた、コンピュータプログラムがプロセッサによって実行されるときに、上記実施形態のいずれかの方法におけるステップが実施される、コンピュータプログラムを記憶するコンピュータ可読記憶媒体を提供する。
【００６７】
図１０は、本開示のいくつかの実施形態による、ランダムアクセス制御のための装置１０００を示す概略ブロック図である。例えば、装置１０００は、携帯電話、コンピュータ、デジタル放送端末、メッセージ送受信デバイス、ゲームコンソール、タブレットデバイス、医療デバイス、フィットネスデバイス、携帯情報端末などとすることができる。
【００６８】
図１０に示すように、装置１０００は、処理コンポーネント１００２、メモリ１００４、電源コンポーネント１００６、マルチメディアコンポーネント１００８、オーディオコンポーネント１０１０、入力／出力（Ｉ／Ｏ）インターフェース１０１２、センサコンポーネント１０１４、および通信コンポーネント１０１６のうちの１つまたは複数を含むことができる。
【００６９】
処理コンポーネント１００２は一般に、表示、電話呼、データ通信、カメラ動作、および記録動作に関連する動作など、装置１０００の動作全体を制御する。処理コンポーネント１００２は上述のステップの全部または一部を実行する命令を実行するために、１つまたは複数のプロセッサ１０２０を含むことができる。さらに、処理コンポーネント１００２は、処理コンポーネント１００２と他のコンポーネントとの間の対話を容易にする１つまたは複数のモジュールを含むことができる。例えば、処理コンポーネント１００２は、マルチメディアコンポーネント１００８と処理コンポーネント１００２との間の対話を容易にするためのマルチメディアモジュールを含むことができる。
【００７０】
メモリ１００４はデバイス１０００における動作をサポートするために、様々なタイプのデータを記憶するように構成される。そのようなデータの例には、装置１０００上で動作する任意のアプリケーションまたは方法のための命令、連絡先データ、電話帳データ、メッセージ、写真、ビデオなどが含まれる。メモリ１００４は、スタティックランダムアクセスメモリ、電気的消去可能プログラマブル読出し専用メモリ、消去可能プログラマブル読出し専用メモリ、プログラム可能読出し専用メモリ、プログラム可能読出し専用メモリ、ＰＲＯＭ、読出し専用メモリ、ＲＯＭ、磁気メモリ、フラッシュメモリ、磁気またはコンパクトディスクなど、任意のタイプの揮発性または不揮発性メモリデバイスまたはこれらの組み合わせによって実現することができる。
【００７１】
電力構成要素１００６は、装置１０００のさまざまな構成要素に電力を供給する。電力構成要素１００６は電力管理システムと、１つまたは複数の電源と、装置１０００の電力を生成し、管理し、配電することに関連する他の構成要素とを含むことができる。
【００７２】
マルチメディア構成要素１００８は、出力インターフェースを提供する装置１０００とユーザとの間のスクリーンを含む。いくつかの例では、スクリーンが液晶ディスプレイ（ＬＣＤ）およびタッチパネル（ＴＰ）を含むことができる。スクリーンがタッチパネルを含む場合、スクリーンは、ユーザからの入力信号を受信するためのタッチスクリーンとして実施することができる。タッチパネルは、タッチパネル上のタッチ、スワイプ、およびジェスチャを感知するための１つまたは複数のタッチセンサを含む。タッチセンサは、タッチまたはスライド動作の境界だけでなく、タッチまたはスライド動作に関連する持続時間および圧力も感知することができる。いくつかの例では、マルチメディアコンポーネント１００８がフロントカメラおよび／またはリアカメラを含むことができる。装置１０００が撮影モードまたはビデオモードなどの動作モードにあるとき、フロントカメラおよび／またはリアカメラは、外部マルチメディアデータを受信することができる。各フロントカメラとリアカメラは、固定光学レンズシステムにすることも、焦点距離と光学ズーム機能を持つこともできる。
【００７３】
オーディオコンポーネント１０１０は、オーディオ信号を出力および／または入力するように構成され得る。例えば、オーディオコンポーネント１０１０は、装置１０００が通話モード、録音モード、および音声認識モードなどの動作モードにあるときに外部オーディオ信号を受信するように構成されたマイクロフォン（ＭＩＣ）を含むことができる。受信されたオーディオ信号は、メモリ１００４にさらに格納されてもよく、または通信コンポーネント１０１６を介して送信されてもよい。いくつかの例では、オーディオコンポーネント１０１０がオーディオ信号を出力するためのスピーカをさらに含む。
【００７４】
入出力インターフェース１０１２は、処理コンポーネント１００２と周辺インターフェースモジュールとの間のインターフェースを提供する。上記の周辺インターフェースモジュールは、キーボード、クリックホイール、ボタンなどであってもよい。これらのボタンはホームボタン、音量ボタン、開始ボタン、およびロックボタンを含むことができるが、これらに限定されない。
【００７５】
センサ構成要素１０１４は装置１０００に対する種々の態様の状態評価を提供するために、１つ以上のセンサを含んでもよい。例えば、センサ構成要素１０１４は装置１０００の開／閉状態、装置１０００の表示およびキーパッドなどの構成要素の相対的位置決めを検出することができ、センサ構成要素１０１４は、装置１０００の位置の変化、または装置１０００の構成要素、装置１０００とのユーザ接触の有無、装置１０００の方向または加速／減速、および装置１０００の温度変化を検出することもできる。センサ構成要素１０１４は、いかなる物理的接触もなく、近くの物体の存在を検出するように構成された近接センサを含んでもよい。センサコンポーネント１０１４はさらに、撮像用途で使用されるＣＭＯＳまたはＣＣＤ撮像素子などの光学センサを含んでもよい。いくつかの例では、センサ構成要素１０１４が加速度センサ、ジャイロスコープセンサ、磁気センサ、圧力センサ、又は温度センサをさらに含んでもよい。
【００７６】
通信構成要素１０１６は、装置１０００と他のデバイスとの間の有線または無線通信を容易にするように構成され得る。装置１０００は、ＷｉＦｉ、２Ｇ、または３Ｇ、あるいはそれらの組合せなどの通信規格に基づいて無線ネットワークにアクセスすることができる。例示的な例では、通信コンポーネント１０１６がブロードキャストチャネルを介して外部ブロードキャスト管理システムからブロードキャスト信号またはブロードキャスト関連情報を受信する。例示的な例では、通信構成要素１０１６はまた、短距離通信を容易にするために近距離通信（ＮＦＣ）モジュールを含む。例えば、ＮＦＣモジュールは、無線周波数識別（ＲＦＩＤ）技術、赤外線データアソシエーション（ＩｒＤＡ）技術、超広帯域（ＵＷＢ）技術、ブルートゥース（登録商標）（ＢＴ）技術、および他の技術に基づいて実装され得る。
【００７７】
例示的な例では、装置１０００が１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ、または上記の例のいずれかで説明した方法を実行するための他の電子要素によって実装され得る。
【００７８】
例示的な例では、上記の方法を実行するために装置１０００のプロセッサ１０２０によって実行可能な命令を備えるメモリ１００４などの命令を備える非一時的なコンピュータ可読記憶媒体も提供される。例えば、一時的でないコンピュータ読取り可能記憶媒体は、ＲＯＭ、ランダム・アクセス・メモリ、ＣＤ−ＲＯＭ、磁気テープ、フロッピー・ディスク、および光データ記憶装置であってもよい。
【００７９】
本明細書を参照することによって、本開示を実施した後に、本開示の他の実施態様が当業者には容易に明らかになるのであろう。本出願は本開示の一般原理に従い、本開示に開示されていない技術分野の技術常識または従来の技術手段を含む、本開示の任意の変形、使用、または適応を包含することが意図される。当該明細書及びその例示はあくまで例示的なものであり、開示の範囲及び精神は付属請求権によって示されるものとする。
【００８０】
なお、本開示は、上述した図面に示す構成に限定されるものではなく、その要旨を逸脱しない範囲で種々の変更、修正が可能である。開示の範囲は、添付の特許請求の範囲によってのみ限定される。
【００８１】
本明細書で使用される「第１」および「第２」のような関係用語は単に、これらのエンティティまたはオペレーション間のこれらの実際の関係または既存の関係を要求または暗示するのではなく、あるエンティティまたはオペレーションを別のエンティティまたはオペレーションから区別することを意図しているにすぎないことに留意しなければならない。また、「含む」、「含む」またはそのバリエーションという用語は、一連のエレメントを含むプロセス、方法、物品またはデバイスがそれらのエレメントのみならず、明示的に列挙されていない他のエレメント、またはそのようなプロセス、方法、物品またはデバイスに固有のエレメントも含むように、非排他的包含を包含することを意図している。
【００８２】
上記は、本開示の例に従って提供される方法およびデバイスの詳細な説明である。本明細書では本開示の原理および実施方法を説明するために特定の例が使用され、上記の例の説明は本開示の方法およびコアアイデアの理解を助けることのみを意図している。一方、当業者は、本開示の概念に従って、特定の例および適用範囲に変更を加えることができる。結論として、本明細書の内容は、本開示を限定するものとして解釈されるべきではない。
【手続補正３】
【補正対象書類名】図面
【補正対象項目名】図３
【補正方法】変更
【補正の内容】
【図３】
2021531692.tif 000013
【国際調査報告】
2021531692.tif 000014
2021531692.tif 000015
2021531692.tif 000016
2021531692.tif 000017